(57)【要約】【課題】本発明は、姿勢変化自在な移動部の姿勢変化直後の反動の動きを抑えるダンパ装置に関し、ダンピング機構の構成部品の配置スペースを抑えると共に部品点数を抑えたダンパ装置を提供することを目的とする。【解決手段】ポップアップフラッシュ１６がポップアップ状態へと姿勢変化した際に、ポップアップフラッシュ１６の筐体１６１の内部空間１６１ａ内に移動自在に収納された重量物１６２が、慣性力の作用により、筐体１６１の内部空間１６１ａを形成している内壁１６１ｂに衝突することによって、ポップアップフラッシュ１６の、ポップアップ状態へと姿勢変化した直後の反動の動きを抑える。【選択図】        図４
2007085422.tif 000002
【特許請求の範囲】
【請求項１】
基台および、
前記基台に後部が回動自在に軸支され、該基台に接した収納状態と該基台に対して所定の角度開いたポップアップ状態とに姿勢変化自在であり、ポップアップの方向に付勢されて前記収納状態に係止され、操作に応じて該係止が解かれて、付勢力により前記ポップアップ状態へと姿勢変化する移動部を備え、
前記移動部が、さらに、
内部空間を形成する筐体と、
前記筐体の内部空間内に移動自在に収納され、前記移動部が前記収納状態から前記ポップアップ状態へと姿勢変化した際に、慣性力の作用により、該筐体の内部空間を形成している内壁に衝突して、該移動部の、該ポップアップ状態へと姿勢変化した直後の反動の動きを抑える重量物とを有することを特徴とするダンパ装置。
【請求項２】
前記重量物は、前記移動部が前記収納状態から前記ポップアップ状態へと姿勢変化した直後の反動の運動エネルギーと略等しい運動エネルギーを持って前記内壁に衝突するように設定された質量を有するものであることを特徴とする請求項１記載のダンパ装置。
【請求項３】
前記重量物が、前記内壁に衝突した際に弾性変形する材質からなるものであることを特徴とする請求項１記載のダンパ装置。
【請求項４】
前記移動部が、前記重量物を収納方向に付勢することにより、前記収納状態における該重量物の移動を規制する弾性体を有することを特徴とする請求項１記載のダンパ装置。
【請求項５】
前記移動部が、閃光発光部を備えたポップアップフラッシュであることを特徴とする請求項１記載のダンパ装置。
【発明の詳細な説明】
【技術分野】
【０００１】
本発明は、姿勢変化自在な移動部の姿勢変化直後の反動の動きを抑えるダンパ装置に関する。
【背景技術】
【０００２】
従来より、閃光を放つ閃光発光部を備えた撮影装置で撮影を行うにあたって、被写界輝度が所定の値に達しない場合には、閃光発光部から閃光を放つことによって被写体を照らして十分な光量を得ている。このような閃光発光部を有するフラッシュの中には、電源がオフの状態では撮影装置内に収納されていて、電源がオンされて撮影装置が駆動されると、閃光発光部が撮影装置本体に対して自動的にポップアップする、いわゆるポップアップフラッシュがある。また、手動でポップアップさせるポップアップフラッシュもある。このようなポップアップフラッシュは、ポップアップフラッシュが撮影装置内に収納された収納状態では、ポップアップフラッシュをポップアップの方向へと姿勢変化させるための付勢部材の付勢力が係止されていて、この係止が解かれることによってポップアップの方向へと姿勢変化する。しかしながら、このようなポップアップフラッシュにおいては、ポップアップフラッシュの、撮影装置本体に対してポップアップした直後の反動の動きによって閃光発光部が揺れ動いてしまうこととなり、使用感を悪くするおそれがある。
【０００３】
このような問題に対処するため、ポップアップ状態へと姿勢変化した直後のポップアップフラッシュの反動の動きを抑えるダンパ装置が組み込まれた撮影装置が提案されている（例えば、特許文献１参照。）。この特許文献１に提案された撮影装置のダンパ装置は、ポップアップ状態へと姿勢変化した直後のポップアップフラッシュのポップアップの反動の動きを抑えるために、ポップアップフラッシュ本体をクラッチを介して所定の慣性モーメントを有する回転板に連結したものである。
【０００４】
また、上述したダンパ装置のような、姿勢変化自在な移動部の姿勢変化直後の反動の動きを抑えるダンパ装置は、ポップアップフラッシュが備えられた撮影装置以外の様々な機器にも用いられている。
【０００５】
例えば、インパクトプリンタの印字ヘッドに組み込まれたダンパ装置が提案されている（例えば、特許文献２参照。）。この特許文献２に提案されたダンパ装置は、インパクトプリンタの印字ヘッド内部のアーマチュアの停止機構であって、上記移動部に相当するアーマチェアの運動エネルギーを一旦バックストッパの運動エネルギーに移し変えてから、そのエネルギーを減衰させるものである。
【特許文献１】特開２００１−２１５５７５号公報
【特許文献２】特開平６−６４１８８号公報
【発明の開示】
【発明が解決しようとする課題】
【０００６】
上記特許文献１に提案された技術によれば、ポップアップ状態へと姿勢変化した直後のポップアップフラッシュの反動の動きが抑えられるものの、クラッチや歯車を介してダンピング機構を実現するために部品点数が多く、ダンピング機構を安価に実現することが困難である。
【０００７】
また、上記特許文献２に提案された技術によっても、姿勢変化自在なアーマチュアの姿勢変化直後の反動の動きが抑えられるものの、バックストッパを可動部品の外部に配設する必要があるため小型化に不利である。
【０００８】
本発明は、上記事情に鑑み、ダンピング機構の構成部品の配置スペースを抑えると共に部品点数を抑えたダンパ装置を提供することを目的とするものである。
【課題を解決するための手段】
【０００９】
上記目的を達成する本発明のダンパ装置は、
基台および、
上記基台に後部が回動自在に軸支され、その基台に接した収納状態とその基台に対して所定の角度開いたポップアップ状態とに姿勢変化自在であり、ポップアップの方向に付勢されて上記収納状態に係止され、操作に応じてこの係止が解かれて、付勢力により上記ポップアップ状態へと姿勢変化する移動部を備え、
上記移動部が、さらに、
内部空間を形成する筐体と、
上記筐体の内部空間内に移動自在に収納され、上記移動部が上記収納状態から上記ポップアップ状態へと姿勢変化した際に、慣性力の作用により、その筐体の内部空間を形成している内壁に衝突して、その移動部の、そのポップアップ状態へと姿勢変化した直後の反動の動きを抑える重量物とを有することを特徴とする。
【００１０】
本発明のダンパ装置は、上記移動部が上記ポップアップ状態へと姿勢変化した際に、その移動部の筐体の内部空間内に移動自在に収納された重量物が、慣性力の作用により、その筐体の内部空間を形成している内壁に衝突することによって、その移動部の、ポップアップ状態へと姿勢変化した直後の反動の動きを抑えるものである。従って、本発明のダンパ装置によれば、クラッチや歯車を介することなく、少ない部品点数でダンピング機構が実現されることとなるため、ダンピング機構が安価に実現される。また、本発明のダンパ装置によれば、移動部の筐体の内部空間内に収納された重量物がダンピング機構の実現に寄与することから、ダンピング機構の構成部品を移動部の外部に配設する必要がない。そのため、ダンピング機構の構成部品の配置スペースを抑えることができ、本発明のダンパ装置が適用される機器の小型化に有利である。
【００１１】
ここで、上記本発明のダンパ装置において、上記重量物は、上記移動部が上記収納状態から上記ポップアップ状態へと姿勢変化した直後の反動の運動エネルギーと略等しい運動エネルギーを持って上記内壁に衝突するように設定された質量を有するものであることが好ましい。
【００１２】
このような好ましい形態によれば、ダンピング効果が向上し、ポップアップ状態へと姿勢変化した直後の移動部の反動の動きをより一層効率良く抑えることができる。
【００１３】
また、上記本発明のダンパ装置は、上記重量物が、上記内壁に衝突した際に弾性変形する材質からなるものであることも好ましい形態である。
【００１４】
このような好ましい形態によれば、重量物が弾性変形することによるエネルギー吸収によっても、ポップアップ状態へと姿勢変化した直後の移動部の反動の動きが抑えられることとなるため、ダンピング効果がより一層向上する。また、重量物が内壁に衝突する際の衝突音が抑えられるという効果も有する。
【００１５】
また、上記本発明のダンパ装置は、上記移動部が、上記重量物を収納方向に付勢することにより、上記収納状態におけるその重量物の移動を規制する弾性体を有することがさらに好ましい。
【００１６】
収納状態において重量物が筐体の内部空間内を不用意に移動することが規制されることによって、重量物が筐体の内部空間内を不用意に移動することによりその内部空間を形成している内壁に衝突する際に発生する衝突音を防止することができる。
【００１７】
さらに、上記本発明のダンパ装置は、上記移動部が、閃光発光部を備えたポップアップフラッシュであるという形態も好ましい。
【００１８】
このような好ましい形態によれば、ポップアップ状態へと姿勢変化した直後のポップアップフラッシュの反動の動きを抑えることが、少ない部品点数で実現される。また、ダンピング機構の構成部品の配置スペースを抑えることができることから、このポップアップフラッシュが備えられた撮影装置の小型化に有利である。
【発明の効果】
【００１９】
本発明によれば、ダンピング機構の構成部品の配置スペースを抑えると共に部品点数を抑えたダンパ装置が提供される。
【発明を実施するための最良の形態】
【００２０】
以下、図面を参照して本発明の実施の形態を説明する。
【００２１】
ここでは、本発明を、撮像素子（ここでは、Ｃｈａｒｇｅ  Ｃｏｕｐｌｅｄ  Ｄｅｖｉｃｅ：ＣＣＤとする）上に被写体の像を結像させて、その被写体を表す撮影画像データを取り込むデジタルカメラに組み込んだ実施形態について説明する。尚、このデジタルカメラは、ポップアップフラッシュ備えたデジタルカメラであって、そのポップアップフラッシュは、電源がオフの状態ではデジタルカメラ内に収納されている。また、電源がオンされてデジタルカメラ１０が駆動されると、そのポップアップフラッシュが自動的にポップアップする。
【００２２】
図１，図２は、本発明のダンパ装置の一実施形態が組み込まれたデジタルカメラ１０を前面斜め上から見た外観斜視図であって、図１は、ポップアップフラッシュ１６が基台１５に収納されている収納状態を示し、図２は、ポップアップフラッシュ１６がポップアップしたポップアップ状態を示す。
【００２３】
図１，図２に示すデジタルカメラ１０の前面には、外観上、被写体に焦点を合わせる複数のフォーカスレンズなどで構成される撮影レンズ１１ａを内部に備えたレンズ鏡胴１１が配備されている。デジタルカメラ１０内部の、撮影レンズ１１ａの背面には、図示しないＣＣＤが備えられている。撮影レンズ１１ａを経由してきた被写体光はＣＣＤに入射されて電気信号であるアナログの画像信号に変換される。
【００２４】
また、このデジタルカメラ１０の上面には、シャッタレリーズボタン１２と、各種設定ボタン１３と、メニュー表示画面１４とが備えられている。シャッタレリーズボタン１２は、半押しおよび全押しの２段階で構成されている。
【００２５】
さらに、このデジタルカメラ１０の上面には、基台１５と、この基台１５に後部が回動自在に軸支され、基台１５に接した収納状態と基台１５に対して所定の角度α開いたポップアップ状態とに姿勢変化自在な、後述するダンピング機構を有するポップアップフラッシュ１６とが備えられている。このポップアップフラッシュ１６には、シャッタレリーズボタン１２への押下操作に同期して発光する閃光発光装置が内蔵されている。基台１５は、本発明にいう基台の一例に相当し、ポップアップフラッシュ１６、本発明にいう移動部の一例に相当する。また、基台１５の後部には、他のフラッシュを使用可能とするための差し込み部１７が設けられている。
【００２６】
図１に示す状態は電源がオフの状態であって、ポップアップフラッシュ１６は、ポップアップの方向に付勢されて収納状態に係止されている。また、ポップアップ状態にあるときは、ポップアップフラッシュ１６の上面を押し下げることにより、図１に示すように基台１５に収納されるとともに図示しないフラッシュ制御回路の動作も停止する。
【００２７】
図１，図２に示すデジタルカメラ１０は、被写体を撮影する際に選択する撮影モードと、記録メディアに保存された撮影画像を再生する際に選択する再生モードを有しており、電源がオンされてデジタルカメラ１０を駆動した後、撮影モードを選択すると、ＡＦ機能によるピント調整およびＡＥ機能による露光調整が連続的に行われる。
【００２８】
また、デジタルカメラ１０を駆動すると、図示しないフラッシュ用のメインコンデンサへの充電を開始するとともに、ポップアップフラッシュ１６の係止が自動的に解かれ、トーションバネ１６４（図３参照）の付勢力によって、図２に示すポップアップ状態へと姿勢変化する。
【００２９】
撮影モードを選択した後に、シャッタレリーズボタン１２を半押しすると、所望の被写体までの距離およびその被写体の輝度を半押しされた時点の位置に固定するＡＦロックおよびＡＥロックが設定される。その後、シャッタレリーズボタン１２が半押しされた状態を保って構図を決定した上でシャッタレリーズボタン１２を全押しすると、シャッタが切られ、必要に応じて閃光が放たれて、被写体の本撮影が行われる。その結果、ピントおよび露光の双方が適正に調整された撮影画像が得られる。
【００３０】
本実施形態のデジタルカメラ１０は、基本的には以上のように構成されている。
【００３１】
ここで、デジタルカメラ１０における、本発明の一実施形態としての特徴は、ポップアップフラッシュ１６のダンピング機構にあり、以下、このダンピング機構について詳述する。
【００３２】
図３は、ポップアップ動作時におけるポップアップフラッシュ１６を側面から一部分を透視した一部透視側面図、図４は、ストッパ突き当たり時におけるポップアップフラッシュ１６を側面から一部分を透視した一部透視側面図、図５は、跳ね返り時におけるポップアップフラッシュ１６を側面から一部分を透視した一部透視側面図である。
【００３３】
まず、図３を参照して、ポップアップフラッシュ１６のダンピング機構の構成部品について説明する。
【００３４】
図３に示すように、ポップアップフラッシュ１６は内部空間１６１ａを形成する筐体１６１を有しており、この筐体１６１の内部空間１６１ａ内には、この内部空間１６１ａ内を移動自在な、ゲル状物質からなる重量物１６２が収納されている。この重量物１６２は、ポップアップフラッシュ１６が収納状態からポップアップ状態へと姿勢変化した直後の反動の運動エネルギーと略等しい運動エネルギーを持って筐体１６１の内部空間１６１ａを形成している内壁１６１ｂに衝突するように設定された質量を有するものである。筐体１６１は、本発明にいう筐体の一例に相当し、重量物１６２は、本発明にいう重量物の一例に相当する。
【００３５】
また、ポップアップフラッシュ１６の筐体１６１の後部の、回転軸１６３を介して回動自在に基台１５に軸支された部分には、ポップアップフラッシュ１６をポップアップの方向に付勢するトーションバネ１６４が組み込まれている。また、ポップアップフラッシュ１６の筐体１６１の後端には突起１６１ｃが設けられており、基台１５には、ポップアップフラッシュ１６が基台１５に対して所定の角度α開いたポップアップ状態において突起１６１ｃが突き当たるストッパ１５ａが設けられている。
【００３６】
次に、図３〜図５を参照して、ポップアップフラッシュ１６のダンピング機構について説明する。
【００３７】
電源がオンされてデジタルカメラ１０が駆動されると、収納状態となっているポップアップフラッシュ１６の係止が自動的に解かれ、トーションバネ１６４の付勢力によってポップアップフラッシュ１６がポップアップ状態へと姿勢変化する。図３に示すように、ポップアップフラッシュ１６の筐体１６１の後端に設けられた突起１６１ｃが、基台１５に設けられたストッパ１５ａに突き当たるまでは、ポップアップフラッシュ１６の筐体１６１の内部空間１６１ａ内に収容された重量物１６２はポップアップフラッシュ１６と一体に動く。
【００３８】
図４に示すように、ポップアップフラッシュ１６の筐体１６１の後端に設けられた突起１６１ｃが、基台１５に設けられたストッパ１５ａに突き当たると、ポップアップフラッシュ１６の筐体１６１は、突起１６１ｃがストッパ１５ａに突き当たった反動によって収納方向に跳ね返ろうとする。また、ポップアップフラッシュ１６の筐体１６１の内部空間１６１ａ内に収容された重量物１６２は、慣性力の作用によってポップアップの方向に動き続けようとする。
【００３９】
図５に示すように、慣性力の作用によってポップアップの方向に動き続けた重量物１６２は、ポップアップフラッシュ１６の筐体１６１の内部空間１６１ａを形成している内壁１６１ｂに衝突する。このように、重量物１６が筐体１６１の内部空間１６１ａを形成している内壁１６１ｂに衝突することによって、ポップアップフラッシュ１６の、突起１６１ｃがストッパ１５ａに突き当たった反動によって収納方向に跳ね返ろうとする運動が弱められることとなり、ポップアップフラッシュ１６のダンピング機構が実現する。また、ゲル状物質からなる重量物１６２が衝突時に弾性変形することによるエネルギー吸収によっても、ポップアップ状態へと姿勢変化した直後のポップアップフラッシュ１６の反動の動きが抑えられる。
【００４０】
従って、本実施形態によれば、クラッチや歯車を介することなく、少ない部品点数でダンピング機構が実現されることとなるため、ダンピング機構が安価に実現される。
【００４１】
また、本実施形態によれば、ポップアップフラッシュ１６の筐体１６１の内部空間１６１ａ内に収納された重量物１６２がダンピング機構の実現に寄与することから、ダンピング機構の構成部品をポップアップフラッシュ１６の外部に配設する必要がない。そのため、ダンピング機構の構成部品の配置スペースを抑えることができ、デジタルカメラ１０の小型化に有利である。
【００４２】
また、本実施形態によれば、ゲル状物質からなる重量物１６２が衝突時に弾性変形することによって、重量物１６２が筐体１６１の内部空間１６１ａを形成している内壁１６１ｂに衝突する際の衝突音が抑えられるという効果も有する。
【００４３】
図６は、ポップアップ動作時におけるポップアップフラッシュ１６および重量物１６２の運動を示す簡略モデル図、図７は、ポップアップフラッシュ１６の突起１６１ｃがストッパ１５ａ突き当たる直前におけるポップアップフラッシュ１６および重量物１６２の運動を示す簡略モデル図、図８は、ポップアップフラッシュ１６が跳ね返る直前におけるポップアップフラッシュ１６および重量物１６２の運動を示す簡略モデル図、図９は、重量物１６２が筐体１６１の内部空間１６１ａを形成している内壁１６１ｂに衝突した直後におけるポップアップフラッシュ１６および重量物１６２の運動を示す簡略モデル図である。
【００４４】
尚、図６〜図９に示す「ｍ」は、重量物１６２の質量を示し、「Ｍ」は、ポップアップフラッシュ１６の質量を示している。また、図６〜図９に示す「Ｖ１」は、ポップアップフラッシュ１６の突起１６１ｃがストッパ１５ａ突き当たる直前におけるポップアップフラッシュ１６および重量物１６２の速度を示し、「Ｖ２」は、ポップアップフラッシュ１６が跳ね返る直前におけるポップアップフラッシュ１６の速度を示し、「Ｖ３」は、重量物１６２が筐体１６１の内部空間１６１ａを形成している内壁１６１ｂに衝突した直後における重量物１６２の速度を示し、「Ｖ４」は、重量物１６２が筐体１６１の内部空間１６１ａを形成している内壁１６１ｂに衝突した直後におけるポップアップフラッシュ１６の速度を示す。
【００４５】
ポップアップフラッシュ１６の突起１６１ｃがストッパ１５ａ突き当たる直前から、ポップアップフラッシュ１６が跳ね返る直前までの時間をΔｔとしたとき、本実施形態では、ポップアップフラッシュ１６がポップアップ状態へと姿勢変化する慣性力の作用によってポップアップの方向に動き続けた重量物１６２が衝突する筐体１６１の内部空間１６１ａを形成している内壁１６１ｂと、収納状態における重量物１６２とのクリアランスＤが、
Ｄ≧Ｖ１・Δｔ
の関係を満たしている。そのため、「Ｍ」の速度成分が「Ｖ１」から「Ｖ２」に変化した後に重量物１６２が筐体１６１の内部空間１６１ａを形成している内壁１６１ｂに衝突することとなり、ダンピング効果を確実に得ることができる。
【００４６】
上述したように、重量物１６２は、ポップアップフラッシュ１６が収納状態からポップアップ状態へと姿勢変化した直後の反動の運動エネルギーと略等しい運動エネルギーを持って筐体１６１の内部空間１６を形成している内壁１６１ｂに衝突するように設定された質量を有するものであるため、ダンピング効果が向上し、ポップアップ状態へと姿勢変化した直後のポップアップフラッシュ１６の反動の動きをより一層効率良く抑えることができる。
【００４７】
次に、本発明の他の実施形態について説明する。
【００４８】
尚、以下説明する実施形態では、上述した実施形態で説明した装置構成とほぼ同じ装置構成を有するため、上述した実施形態との相違点に注目し、同じ要素については同じ符号を付して説明を省略する。
【００４９】
図１０は、ポップアップ動作時におけるポップアップフラッシュ１６を側面から一部分を透視した一部透視側面図、図１１は、跳ね返り時におけるポップアップフラッシュ１６を側面から一部分を透視した一部透視側面図である。
【００５０】
まず、図１０を参照して、ポップアップフラッシュ１６のダンピング機構の構成部品について説明する。
【００５１】
図１０に示すように、ポップアップフラッシュ１６の筐体１６１の内部空間１６１ａ内に収容された重量物１６２は、収納状態における重量物１６２の移動を規制する弾性体１６５によって収納方向に付勢されることにより、収納状態では筐体１６１の内部空間１６１ａ内に設けられた内部突起１６１ｄに接している。
【００５２】
次に、図１０，図１１を参照して、ポップアップフラッシュ１６のダンピング機構について説明する。
【００５３】
電源がオンされてデジタルカメラ１０が駆動されると、トーションバネ１６４の付勢力によってポップアップフラッシュ１６がポップアップ状態へと姿勢変化する。図１０に示すように、ポップアップフラッシュ１６の筐体１６１の後端に設けられた突起１６１ｃが、基台１５に設けられたストッパ１５ａに突き当たるまでは、ポップアップフラッシュ１６の筐体１６１の内部空間１６１ａ内に収容された重量物１６２は、弾性体１６５によって収納方向に付勢されることにより内部突起１６１ｄに接した状態を保ったままポップアップフラッシュ１６と一体に動く。
【００５４】
図１１に示すように、ポップアップフラッシュ１６の筐体１６１の後端に設けられた突起１６１ｃが、基台１５に設けられたストッパ１５ａに突き当たった後、重量物１６２は、慣性力の作用により弾性体１６５の付勢力に打ち勝ってポップアップの方向に動き続け、ポップアップフラッシュ１６の筐体１６１の内部空間１６１ａを形成している内壁１６１ｂに衝突する。このように、重量物１６が筐体１６１の内部空間１６１ａを形成している内壁１６１ｂに衝突することによって、ポップアップフラッシュ１６の、突起１６１ｃがストッパ１５ａに突き当たった反動によって収納方向に跳ね返ろうとする運動が弱められることとなり、ポップアップフラッシュ１６のダンピング機構が実現する。
【００５５】
このように、収納状態において重量物１６２が筐体１６１の内部空間１６１ａ内を不用意に移動することが規制されることによって、重量物１６２が筐体１６１の内部空間１６１ａ内を不用意に移動することによりその内部空間１６１ａを形成している内壁１６１ｂに衝突する際に発生する衝突音を防止することができる。
【００５６】
尚、上述した各実施形態では、本発明にいう移動部が、ＣＣＤ上に被写体の像を結像させて、その被写体を表す撮影画像データを取り込むデジタルカメラのポップアップフラッシュである例について説明したが、本発明にいう移動部は、これに限られるものではなく、例えば、写真フィルム上に写真撮影を行うフィルムカメラなどといった撮影装置のポップアップフラッシュや、撮影装置の電池蓋や、一眼レフカメラの可動反射鏡や、インパクトプリンタの印字ヘッド内部のアーマチュアなど、収納状態とポップアップ状態とに姿勢変化自在なものであればよい。
【００５７】
また、上述した各実施形態では、本発明にいう移動部が、デジタルカメラ１０が駆動されると自動的にポップアップするポップアップフラッシュである例について説明したが、本発明にいう移動部は、このような構成に限られるものではなく、例えば、他のタイミングで自動的にポップアップするものや、手動でポップアップするものであってもよい。
【００５８】
また、上述した各実施形態では、本発明にいう重量物が、ゲル状物質からなる重量物である例について説明したが、本発明にいう移動部は、これに限られるものではなく、どのような材質のものであってもよい。但し、慣性力の作用により筐体の内部空間を形成している内壁に衝突した際に弾性変形する、例えばゲル状物質や、フィルム等のパックの内部に液体や粒状物を封入したものなどといった材質からなるものであることが好ましい。
【図面の簡単な説明】
【００５９】
【図１】本発明のダンパ装置の一実施形態が組み込まれたデジタルカメラを前面斜め上から見た外観斜視図である。
【図２】本発明のダンパ装置の一実施形態が組み込まれたデジタルカメラを前面斜め上から見た外観斜視図である。
【図３】ポップアップ動作時におけるポップアップフラッシュを側面から一部分を透視した一部透視側面図である。
【図４】ストッパ突き当たり時におけるポップアップフラッシュを側面から一部分を透視した一部透視側面図である。
【図５】跳ね返り時におけるポップアップフラッシュを側面から一部分を透視した一部透視側面図である。
【図６】ポップアップ動作時におけるポップアップフラッシュおよび重量物の運動を示す簡略モデル図である。
【図７】ポップアップフラッシュの突起がストッパ突き当たる直前におけるポップアップフラッシュおよび重量物の運動を示す簡略モデル図である。
【図８】ポップアップフラッシュが跳ね返る直前におけるポップアップフラッシュおよび重量物の運動を示す簡略モデル図である。
【図９】重量物が筐体の内部空間を形成している内壁に衝突した直後におけるポップアップフラッシュおよび重量物の運動を示す簡略モデル図である。
【図１０】ポップアップ動作時におけるポップアップフラッシュを側面から一部分を透視した一部透視側面図である。
【図１１】跳ね返り時におけるポップアップフラッシュを側面から一部分を透視した一部透視側面図である。
【符号の説明】
【００６０】
１０    デジタルカメラ
１１    レンズ鏡胴
１１ａ    撮影レンズ
１２    シャッタレリーズボタン
１３    各種設定ボタン
１４    メニュー表示画面
１５    基台
１５ａ    ストッパ
１６    ポップアップフラッシュ
１６１    筐体
１６１ａ    内部空間
１６１ｂ    内壁
１６１ｃ    突起
１６１ｄ    内部突起
１６２    重量物
１６３    回転軸
１６４    トーションバネ
１６５    弾性体
１７    差し込み部
【図１】
2007085422.tif 000003
【図２】
2007085422.tif 000004
【図３】
2007085422.tif 000005
【図４】
2007085422.tif 000006
【図５】
2007085422.tif 000007
【図６】
2007085422.tif 000008
【図７】
2007085422.tif 000009
【図８】
2007085422.tif 000010
【図９】
2007085422.tif 000011
【図１０】
2007085422.tif 000012
【図１１】
2007085422.tif 000013